(57)【要約】【課題】乾燥剤をケースに収容してスノコに装着した状態において、乾燥剤の上下の空間がスノコ板などによって遮断されることなく、もって乾燥剤の効果が布団などの収納物等や床板とスノコの間の空間に直接及ぶことが可能な乾燥剤カートリッジを提供する。また、この乾燥剤カートリッジを上下の空間が遮断されることがない状態で装着可能なスノコを提供する。【解決手段】粒状の乾燥剤を封入した通気性の不織布からなる乾燥剤包帯０１０１と、前記乾燥剤包帯を内部に保持させる板状の乾燥剤包帯保持ケースであって、上下板には乾燥剤の粒径よりも大きな通風穴０１０２ａが略全面に配された乾燥剤包帯保持ケース０１０２とからなる乾燥剤カートリッジ０１００を提供する。また、複数の載置板を備え、上記乾燥剤カートリッジを、隣接する載置板の間に嵌合するため形成された嵌合部を有するスノコを提供する。【選択図】図１
2017226979.tif 000002
【特許請求の範囲】
【請求項１】
粒状の乾燥剤を封入した通気性の不織布からなる乾燥剤包帯と、
前記乾燥剤包帯を内部に保持させる板状の乾燥剤包帯保持ケースであって、
上下板には乾燥剤の粒径よりも大きな通風穴が略全面に配された乾燥剤包帯保持ケースと、からなる乾燥剤カートリッジ。
【請求項２】
前記乾燥剤包帯保持ケースは、上下板が蝶番を介して開閉自在に連結されている請求項１に記載の乾燥剤カートリッジ。
【請求項３】
複数の載置板を備えるスノコであって、
請求項１又は２に記載の乾燥剤カートリッジを、隣接する載置板の間に嵌合するため形成された嵌合部を有するスノコ。
【請求項４】
前記嵌合部は、嵌合された乾燥剤カートリッジの上板面が、載置板の上面よりも低位置又は面一となるように構成された請求項３に記載のスノコ。
【発明の詳細な説明】
【技術分野】
【０００１】
本発明は、乾燥剤カートリッジ及びこれを嵌合する手段を備えたスノコに関する。
【背景技術】
【０００２】
スノコは、例えば、押入れに収納される布団や衣類などの収納物の湿気を防止するために、これらの収納物と押入れの床との間に通気のための空間を設けるといった目的で用いられる。しかし、これだけでは湿気防止に不十分なことから、乾燥剤（除湿剤）と併用されることが多く、乾燥剤を収納したケースをスノコに取り付けるといった方法が従来から知られている。例えば、特許文献１には、スノコ板の下面に乾燥剤などの薬剤を入れるためのトレーを引出し自在に収納できる収納部を設けた押入れ用スノコが記載されている。
【先行技術文献】
【特許文献】
【０００３】
【特許文献１】実開平６−６３７３０号公報
【発明の概要】
【発明が解決しようとする課題】
【０００４】
乾燥剤の効果を最大限に得るためには、乾燥剤の上下方の双方にその効果を行きわたらせることを遮断する遮断物がなく、通気性が良好に保たれていることが望ましい。即ち、乾燥剤の上方は、布団などの収納物との間がスノコの板に遮られることがなく、乾燥剤の効果が直接収納物やその周辺の空間に行きわたるようになっていることが望ましい。また、乾燥剤の下方も同様にスノコと床面の間に形成される空間との間がスノコの板や乾燥剤のケースに遮られることがなく、乾燥剤の効果が直接この空間に行きわたるようになっていることが望ましい。
【０００５】
しかし、特許文献１に記載されているスノコは、乾燥剤の上下方の双方の空間等にその効果を行きわたらせることを遮断する遮断物がないようにはなっていない。まず乾燥剤の上方については、特許文献１では乾燥剤を入れたトレーがスノコ板の下面に配置されているため、乾燥剤と布団などの収納物の間がスノコ板によって遮られることとなり、乾燥剤の効果を直接収納物やその周辺の空間に行きわたらせることができない。なお、同文献に記載された図には、トレーが複数枚のスノコ板の下面にまたがって配置され、この結果トレーの上方の一部がスノコ板間のすき間によって開放されている（従って、この部分では乾燥剤の効果がスノコ上の収納物に直接行きわたるようになっている）例も記載されているが、トレー上方の多くの部分がスノコ板によって収納物等との間を遮断されていることに変わりはないため、乾燥剤の効果を十分に収納物等に行きわたらせることはできない。一方、乾燥剤の下方については、乾燥剤がトレーに収容されているため、このトレーによって下方の空間との間が遮断されることとなる。
【０００６】
本発明は、以上の課題に鑑みたものであり、その解決すべき課題は、乾燥剤をケースに収容してスノコに装着した状態において、乾燥剤の上下の空間がスノコ板などによって遮断されることなく、もって乾燥剤の効果が布団などの収納物等や床板とスノコの間の空間に直接及ぶことが可能な乾燥剤カートリッジ（乾燥剤及びこれを収納するケース）を提供することにある。また、この乾燥剤カートリッジを上下の空間が遮断されることがない状態で装着可能なスノコを提供することにある。
【課題を解決するための手段】
【０００７】
以上の課題を解決するため、本発明のうち、第一の発明は、粒状の乾燥剤を封入した通気性の不織布からなる乾燥剤包帯と、前記乾燥剤包帯を内部に保持させる板状の乾燥剤包帯保持ケースであって、上下板には乾燥剤の粒径よりも大きな通風穴が略全面に配された乾燥剤包帯保持ケースと、からなる乾燥剤カートリッジを提供する。
【０００８】
また、第二の発明は、第一の発明を基礎として、前記乾燥剤包帯保持ケースは、上下板が蝶番を介して開閉自在に連結されている乾燥剤カートリッジを提供する。
【０００９】
また、第三の発明は、複数の載置板を備えるスノコであって、第一又は第二の発明に係る乾燥剤カートリッジを、隣接する載置板の間に嵌合するため形成された嵌合部を有するスノコを提供する。
【００１０】
また、第四の発明は、第三の発明を基礎として、前記嵌合部は、嵌合された乾燥剤カートリッジの上板面が、載置板の上面よりも低位置又は面一となるように構成されたスノコを提供する。
【発明の効果】
【００１１】
本発明により、乾燥剤をケースに収容してスノコに装着した状態において、乾燥剤の上下の空間がスノコ板などによって遮断されることなく、もって乾燥剤の効果が布団などの収納物や床板とスノコの間の空間に直接及ぶことが可能な乾燥剤カートリッジを提供することが可能となる。また、この乾燥剤カートリッジを上下の空間が遮断されることがない状態で装着可能なスノコを提供することが可能となる。
【図面の簡単な説明】
【００１２】
【図１】実施例１の乾燥剤カートリッジの構成の一例を示す図
【図２】実施例１の乾燥剤カートリッジの構成の一例を示す図
【図３】実施例２のスノコの構成の一例を示す図
【図４Ａ】乾燥剤カートリッジを嵌合部に嵌合した状態の一例を示す図
【図４Ｂ】乾燥剤カートリッジを嵌合部に嵌合した状態の一例を示す図
【図５】乾燥剤カートリッジを嵌合部に嵌合した状態の一例を示す図
【符号の説明】
【００１３】
０１００    乾燥剤カートリッジ
０１０１    乾燥剤包帯
０１０２    乾燥剤包帯保持ケース
０１０２ａ    通風穴
０２０２ｂ    蝶番
０３１０    スノコ
０３１１〜０３１４    載置板
０３１５    嵌合部
【発明を実施するための形態】
【００１４】
以下に、本発明の実施例を説明する。実施例と請求項の相互の関係は以下のとおりである。実施例１は主に請求項１、請求項２などに関し、実施例２は主に請求項３、請求項４などに関する。なお、本発明はこれら実施例に何ら限定されるものではなく、その要旨を逸脱しない範囲において、種々なる態様で実施しうる。
【実施例１】
【００１５】
＜概要＞
【００１６】
本実施例は乾燥剤カートリッジに関するものであり、粒状の乾燥剤を封入した通気性の不織布からなる乾燥剤包帯と、これを収納する板状の乾燥剤包帯保持ケースからなり、当該ケースの上下板に乾燥剤の粒径よりも大きな通風穴が略全面に配されていることを特徴とする乾燥剤カートリッジを提供するものである。また、記乾燥剤包帯保持ケースの上下板が蝶番を介して開閉自在に連結されているものも本実施例に含まれる。
【００１７】
＜構成＞
【００１８】
（全般）
【００１９】
図１は、本実施例の乾燥剤カートリッジの構成の一例を示す図である。図１（ａ）に示すように、本実施例の乾燥剤カートリッジ０１００は、乾燥剤包帯０１０１と、これを保持するための乾燥剤包帯保持ケース０１０２とから構成される。
【００２０】
（乾燥剤包帯）
【００２１】
図１（ｂ）は、乾燥剤包帯の形状の一例であって、図１（ａ）に示した乾燥剤カートリッジを構成する乾燥剤包帯の例である。乾燥剤包帯は、粒状の乾燥剤（図示されない）を封入した通気性の不織布からなる包帯である。本発明において「包帯」とは、帯状の包装材をいい、図１（ｂ）に示したような細長く、袋状のものがこれに該当する。また、袋によって形成される空間は全体が一つであってもよいし、図１（ｂ）に示したように複数の小袋に仕切られたものであってもよい。
【００２２】
乾燥剤はシリカゲル、生石灰（酸化カルシウム）など公知のものを用いればよく、その種類を問わない。ただし、形状は粒状のものが用いられ、これにより不織布を突き破るといったおそれがないようにすることができる。また、乾燥剤の粒径は、後述の乾燥剤包帯保持ケースの通風穴の径より小さいように構成される。例えば、通風穴の径（図１の例の場合には対向する頂点間の長さ）が７〜１５ミリメートル程度であり、乾燥剤の粒径が３〜５ミリメートル程度であるものが考えられる。このように、乾燥剤を通風穴より小さい粒状のものとすることで、通風を保ちつつ乾燥剤の表面積を最大化して、乾燥剤の効果をより有効に発揮することが可能となる。
【００２３】
乾燥剤を封入するための通気性の不織布も公知のものを用いればよい。例えば、孔径１〜４０ミクロン程度の微細孔が均一に分散された不織布が用いられる。不織布の素材としては、例えば、ナイロン、ポリエステル、ポリプロピレン、ポリウレタン、ＥＶＡ（Ｅｔｈｙｌｅｎｅ  Ｖｉｎｙｌ  Ａｃｅｔａｔｅ  Ｃｏｐｏｌｙｍｅｒ）、ポリエチレン、ポリ乳酸やこれらを組み合わせたものを素材とするものが用いられる。通気性の不織布を用いることで、包帯内の空気がこもりにくく、包帯外の空気との入れ替えがスムーズに行われることから、乾燥剤の効果を周囲により広く行きわたらせることが容易となる。なお、交換すべき時期を視覚的に判断できるタイプの乾燥剤（例えば色の変化で判断できるシリカゲル）の場合には、この判断を容易に行えるように、透明又は半透明の不織布を用いることが望ましい。
【００２４】
乾燥剤包帯には、通例複数粒の乾燥剤が封入されるが、その際、複数の小袋に分けて封入することが望ましい。図１（ｂ）に示した四個の小袋に仕切られた包帯においても各小袋に５０〜１００粒程度の乾燥剤（図示されない）が封入されている例を示した。このように乾燥剤を複数の小袋に分けて封入することで、粒状の乾燥剤が片寄ってしまって乾燥剤の効果が広く行きわたらないという弊害を防ぐことができる。
【００２５】
（乾燥剤包帯保持ケース：全般）
【００２６】
図１（ｃ）は、乾燥剤包帯保持ケースの形状の一例であって、図１（ａ）に示した乾燥剤カートリッジを構成する乾燥剤包帯保持ケースの例である。乾燥剤包帯保持ケースは、乾燥剤包帯を保持するための板状の部材であり、その上下板に乾燥剤の粒径よりも大きな通風穴０１０２ａ（煩雑を避けるため１個に符号を付した）が略全面に配されたものである。
【００２７】
図１（ｃ）には、上板に略六角形状の通風穴が複数個、略全面にわたって配されている例を示した。下板にも上板と同様の通風穴が略全面にわたって配される。これは、乾燥剤包帯保持ケース内に収容された乾燥剤包帯及び当該包帯内の乾燥剤と、乾燥剤包帯保持ケースの外部との通気性を良くするためである。また、通風穴の大きさを乾燥剤の粒径よりも大きくする理由は、乾燥剤に対する通気をより良好に保つことができる程度の通気穴の大きさを得るためである。一方で、乾燥剤が包帯に収容されているため、乾燥剤が粒のままでじかにケースに収容されている場合と異なり、通気穴をこのような大きさにしても乾燥剤がケースからこぼれてしまうおそれをなくすことが可能となっている。ここで「略全面」とは、概ね上下各板の面積の８５〜９５パーセント程度をいう。
【００２８】
以上から明らかなように、乾燥剤包帯保持ケースの形状である「板状」とは、平たい形状であり、かつ、内部に乾燥剤包帯を保持するための空間を有する中空の形状であるという意味である。
【００２９】
乾燥剤包帯保持ケースの素材には特に限定はないが、後述のようにスノコに装着された際に収容物の下に直接位置することになることも多く、また上下板に大きな通風穴が設けられていることから、ある程度の強度を有する素材が望ましく、例えば樹脂、ゴム、金属、木材、竹などが考えられる。特に、次実施例にて後述するように、乾燥剤包帯保持ケースをその付勢力を利用してスノコ板の間に保持することが考えられるが、このためには、弾性を有する素材のものが求められ、例えば、ＡＢＳ（Ａｃｒｙｌｏｎｉｔｒｉｌｅ  Ｂｕｔａｄｉｅｎｅ  Ｓｔｙｒｅｎｅ）樹脂やポリ塩化ビニル等の樹脂や、ゴム、鋼などが好適な材料として挙げられる。
【００３０】
また、交換すべき時期を視覚的に判断できるタイプの乾燥剤を収容する場合は、前述のように不織布の素材を透明又は半透明とすることに加え、乾燥剤包帯保持ケースの素材も透明又は半透明とすることが望ましい。
【００３１】
通風穴の形状や数、配置のしかたは通風性を考慮して適宜設計すればよい。その際に、合わせて素材の強度なども勘案しつつケースの強度がある程度保てるような通風穴の形状や数、配置のしかたについても考慮することが望ましい。図１に示したものは、略六角形状の通風穴を主体とする複数の通風穴を上下板のほぼ全面を占める程度に配置したものであるが、これはあくまで一例である。
【００３２】
（乾燥剤包帯保持ケース：蝶番を介して開閉自在な構成）
【００３３】
乾燥剤包帯保持ケースは、乾燥剤の収脱時の作業を簡単に行えるように、簡単に開閉可能なものであることが望ましい。このための構成として、例えば上板と下板が簡単に分離・合体可能になっているようなもの（蓋と皿を組み合わせたようなもの）であってもよい。あるいは、乾燥剤包帯保持ケースが蝶番を介して開閉自在に構成されているものであってもよい。
【００３４】
図２は、本実施例の乾燥剤カートリッジの構成の一例を示す図であって、乾燥剤包帯保持ケース０２０２の一側面に取り付けられた二個の蝶番０２０２ｂを介して開閉自在に構成されている例である。
【００３５】
（乾燥剤包帯保持ケース：スノコに装着するための構成）
【００３６】
本実施例の乾燥剤包帯保持ケースは、主にスノコに装着して使用することを想定している。このため、スノコに装着するための手段を備えていてもよい。その具体的構成については次実施例にて後述する。
【００３７】
（乾燥剤以外の薬剤）
【００３８】
以上では包帯に保持される薬剤が乾燥剤であり、従ってケースに収容される包帯が乾燥剤包帯である例で説明したが、包帯に保持される薬剤を乾燥剤以外の例えば消臭剤（脱臭剤、防臭剤）、防かび剤、防虫剤、防菌剤（除菌剤、抗菌剤）などのいずれか一としたものや、乾燥剤を含むこれら各種類の薬剤の全部や複数の一部としたものについても、上述の乾燥剤カートリッジと全く同様の構成によってカートリッジに形成することが可能である。なお、複数種類の薬剤を保持する場合には、区別を容易にするため、包帯の色を薬剤ごとに異なるものとするようにしてもよい。
【００３９】
このような構成により、乾燥剤以外の薬剤についても、その効果を上下の空間に直接及ぼすことが可能となる。つまり、本発明はこれら乾燥剤以外の薬剤にも適用可能であり、このような乾燥剤以外の薬剤に適用したものも本発明の技術的範囲に属するものである。
【００４０】
＜効果＞
【００４１】
本実施例の発明により、乾燥剤をケースに収容してスノコに装着した状態において、乾燥剤の上下の空間がスノコ板などによって遮断されることなく、もって乾燥剤の効果が布団などの収納物や床板とスノコの間の空間に直接及ぶことが可能な乾燥剤カートリッジを提供することが可能となる。
【実施例２】
【００４２】
＜概要＞
【００４３】
本実施例は、実施例１で説明した乾燥剤カートリッジを装着可能なスノコに関するものである。特に、本実施例のスノコは、複数の載置板を有し、隣接する載置板の間に嵌合するため形成された手段を有するものである。また、当該手段が、嵌合された乾燥剤カートリッジの上板面が載置板の上面よりも低位置又は面一となるように構成されたものも本実施例のスノコに含まれる。
【００４４】
＜構成＞
【００４５】
（スノコ）
【００４６】
図３は、本実施例のスノコの構成の一例を示す図である。本実施例のスノコの用途に特に限定はないが、主に押入れ用のスノコが想定されている。本図に示すように、本実施例のスノコ０３１０は、複数の脚０３１６及び複数の載置板を備えており、本図の例では４枚の載置板０３１１〜０３１４を備えている。スノコの素材に限定はないが、例えば木材、竹、樹脂、金属などが用いられる。スノコの長さ・幅・高さや載置板の数、隣接する載置板の間の寸法、各載置板の長さ・幅・厚みなどは置き場所や用途などを考慮して適切に設計される。例えば、押入れ用のスノコの寸法の一例として、長さ・幅が６０×３０センチメートル程度のものが考えられる。その際、スノコの載置板下面の床板からの高さは、床板と載置板の間の空間の通気性を適切に確保できる高さであることが望ましく、具体的には約３センチメートル以上であることが望ましい。
【００４７】
（嵌合部：全般）
【００４８】
図３にも示されているように、隣接する載置板（同図の例では載置板０３１２と載置板０３１３）の間には、実施例１に記載した乾燥剤カートリッジを嵌合するための嵌合部０３１５が形成される。同図の例は、隣接する載置板の対向する側面の一部に、乾燥剤カートリッジがぴったりと嵌るような寸法、形状になるように設計された切欠きが形成されているものである。
【００４９】
乾燥剤包帯保持ケースの上下両面の通気性を保持するため、嵌合部は、乾燥剤カートリッジの上下両面が載置板に遮られることなく露出した状態で当該カートリッジを保持することができるようになっていることが望ましい。図３の例は、嵌合部を形成する切欠きが載置板を上下に貫通する形で切り欠いた形状をなしている例である。この場合、乾燥剤カートリッジを嵌合部から落下しないように保持する方法としては、例えば、乾燥剤包帯保持ケースが弾性を有する樹脂などを素材としており、乾燥剤包帯保持ケースから載置板の側面を押し付ける方向に働く付勢力を利用して保持する方法や、乾燥剤カートリッジと載置板の対向する側面どうしに貼り付けた面ファスナーを用いて保持する方法、あるいは乾燥剤カートリッジと載置板の対向する側面のいずれか一方に貼り付けた着脱自在な両面接着テープを用いて保持する方法などが考えられる。こうした方法によれば、乾燥剤の交換時に簡単に乾燥剤カートリッジをスノコから取り外して乾燥剤の交換作業を行うことが可能となる。
【００５０】
図４Ａ及び図４Ｂは、乾燥剤カートリッジを嵌合部に嵌合した状態の一例を示す図である。図４Ａ（ａ）に示した乾燥剤カートリッジ０４００ａは、図３に示したものと同じ形状のものをスノコの載置板０４１２ａ、０４１３ａに備えられた嵌合部０４１５ａに嵌合した状態を示しており、図のうち上段は平面図、下段は当該平面図のＸ１−Ｘ１線端面図である（図４Ａ（ｂ）、図４Ｂ（ａ）、（ｂ）においても同様である）。図４Ａ（ｂ）に示した乾燥剤カートリッジ０４００ｂは、図４Ａ（ａ）に示した乾燥剤カートリッジと異なり嵌合部が載置板を切り欠いた形状ではなく、乾燥剤包帯保持ケースの幅が載置板の間の寸法に一致しており、かかる乾燥剤包帯保持ケースを有する乾燥剤カートリッジを載置板の間に嵌合した状態を示す。この場合は、スノコ自体の形状を何ら変更することなく、載置板の一部の側面がそのまま嵌合部を形成することとなる。このようなものも本発明における嵌合部に含まれる。さらに、図４Ｂは、図４Ａと異なり、嵌合部が上下に貫通しておらず、乾燥剤カートリッジの乾燥剤包帯保持ケースの上下板面の一部が載置板に接して配置される例を示す。このうち図４Ｂ（ａ）は、乾燥剤カートリッジ０４００ｃの下板面の外縁付近を下から支える張出部０４１５ｃを備える例である。この場合、単に乾燥剤カートリッジをこの張出部の上に置くだけで当該カートリッジを保持することができるが、例えば面ファスナーや着脱自在な両面接着テープを用いて着脱自在に接着するようにしてもよい。図４Ｂ（ｂ）は、図４Ｂ（ａ）とは逆に、張出部０４１５ｄが乾燥剤カートリッジ０４００ｄの上板面の外縁付近と接するように形成されている例を示す。この場合、乾燥剤カートリッジの保持のためには例えば面ファスナーや着脱自在な両面接着テープを用いて接着するようにすればよい。前述のように、通風穴の占める面積が上下各板面の８５〜９５パーセント程度であるので、上下面の外縁付近にこのような接着面を設けることが可能であり、かつ通風を妨げることなくかかる装着を実現することができる。
【００５１】
（嵌合部：嵌合された乾燥剤カートリッジの上板面が、載置板の上面よりも低位置又は面一となる構成）
【００５２】
前記嵌合部は、嵌合された乾燥剤カートリッジの上板面が、載置板の上面よりも低位置又は当該上面と面一となるように構成されていることが望ましい。
【００５３】
図５は、乾燥剤カートリッジを嵌合部に嵌合した状態の一例を示す図であって、このような嵌合部の構成の一例を示す図であり、図４Ａ、図４Ｂの下段と同様の端面図で示したものである。このうち、図５（ａ）は、嵌合された乾燥剤カートリッジ０５００ａの乾燥剤包帯保持ケースの上板面０５０２ａが、載置板の上面０５１２ａ、０５１３ａよりも低位置となるように構成されている例、図５（ｂ）は嵌合された乾燥剤カートリッジ０５００ｂの乾燥剤包帯保持ケースの上板面０５０２ｂが、載置板の上面０５１３ａ、０５１４ａと面一になるように構成されている例である。
【００５４】
このような構成とすることで、乾燥剤カートリッジがスノコの載置板より上に突出することがなく、載置板上に収納物を置く際に乾燥剤カートリッジが邪魔になることを防ぐことができる。
【００５５】
＜効果＞
【００５６】
本実施例の発明により、乾燥剤をケースに収容してスノコに装着した状態において、乾燥剤の上下の空間がスノコ板などによって遮断されることなく、もって乾燥剤の効果が布団などの収納物や床板とスノコの間の空間に直接及ぶことが可能な乾燥剤カートリッジを上下の空間が遮断されることがない状態で装着可能なスノコを提供が可能となる。
【図１】
2017226979.tif 000003
【図２】
2017226979.tif 000004
【図３】
2017226979.tif 000005
【図４Ａ】
2017226979.tif 000006
【図４Ｂ】
2017226979.tif 000007
【図５】
2017226979.tif 000008